(57)【要約】【課題】  携帯無線機の筐体に貼付された紙片を保護することが可能な携帯無線機用保護板の提供。【解決手段】  筐体１の窪み面６Ａ上に装飾用の紙片７が貼付されている。透明板２には突起部３が設けられ、筐体１の一面６の縁部６Ｂの両端部には突起部３に対応する位置に切り欠き部４が形成されている。透明板２の突起部３を筐体１の一面６の切り欠き部４に差し込み、一面６の係止部５をスライドさせて透明板２を固定する。これにより、装飾用の紙片７が透明板２で覆われ保護される。【選択図】      図１
2006067035.tif 000002
【特許請求の範囲】
【請求項１】
携帯無線機の筐体に貼付された紙片を保護する携帯無線機用保護板であって、
前記保護板は透明板で構成され、前記筐体の一面あるいはその一部に設けられることを特徴とする携帯無線機用保護板。
【請求項２】
前記筐体の面の一面あるいはその一部に窪み面が設けられ、前記保護板が前記窪み面に嵌合することを特徴とする請求項１記載の携帯無線機用保護板。
【請求項３】
前記筐体の一面は曲面に形成され、前記保護板は前記筐体の曲面に対応する形状に形成されることを特徴とする請求項１記載の携帯無線機用保護板。
【請求項４】
前記筐体および前記保護板の一方に設けた突起部と、前記突起部に対応して前記筐体および前記保護板の他方に設けた切り欠き部とを含むことを特徴とする請求項１から３いずれかに記載の携帯無線機用保護板。
【請求項５】
前記筐体および前記保護板の双方を接着するための両面接着テープを含むことを特徴とする請求項１から３いずれかに記載の携帯無線機用保護板。
【請求項６】
前記筐体の一面に前記保護板を係止させる係止部が設けられることを特徴とする請求項４記載の携帯無線機用保護板。
【請求項７】
前記筐体は折り畳み式に構成されることを特徴とする請求項１から６いずれかに記載の携帯無線機用保護板。
【発明の詳細な説明】
【技術分野】
【０００１】
本発明は、携帯無線機用保護板に関し、特に携帯無線機の筐体に貼付された紙片を保護する携帯無線機用保護板に関する。
【背景技術】
【０００２】
携帯無線機の筐体全体を保護する保護カバーは公知である。その一例として、携帯電話機の表示部およびキーボード部に対応する箇所が透明フィルムで形成された携帯電話カバーが開示され（特許文献１参照）、他の例として、透明な柔軟性塩化ビニール樹脂製部材を三つ折にしてコントロール装置を包む保護カバー（特許文献２参照）、および携帯電話の充電端子に対応する箇所に導電性部材を設け、携帯電話を収納した状態でも充電が可能な保護カバー（特許文献３参照）が開示されている。
【０００３】
また、携帯電話機の背面に着脱可能な透明カバーが開示されている（非特許文献１参照）。写真やイラストを切り抜いて携帯電話機の背面に載置し、それを透明カバーで覆うというものである。
【０００４】
近年、携帯電話機が急速に普及し、すでに国民の大多数が所有するものとなっている。そのような中で、ストラップや写真を印刷したシール（紙片）等多くの装飾品が市販されており、オリジナリティ（独自性）を出すために、各自様々な装飾を携帯電話機に施す傾向がある。
【０００５】
図７および図８は従来の携帯電話機の一例の外観図である。図７は携帯電話機７１の筐体１の一面６に装飾用の紙片７を貼付する一態様を示している。一方、図８は携帯電話機７１の筐体１の一面６に装飾用の紙片７が貼付された一態様を示している。
【０００６】
【特許文献１】実用新案登録第３０７０８４３号公報（段落０００４、図１）
【特許文献２】特開平１０−１９０２５３号公報（段落０００８、図１）
【特許文献３】特開平７−２９７８９４号公報（段落００１９、図１）
【非特許文献１】ケータイＷａｔｃｈホームページ、（ＣｅＢＩＴ  ２００２）、Ｐａｎａｓｏｎｉｃ（登録商標）が欧州向け初の折りたたみ端末を発表、２００４年７月２１日、ケータイＷａｔｃｈ編集部、（平成１６年７月２２日検索）、インターネット＜ＵＲＬ：ｈｔｔｐ：／／ｋ−ｔａｉ．ｉｍｐｒｅｓｓ．ｃｏ．ｊｐ／ｃｄａ／ａｒｔｉｃｌｅ／ｅｖｅｎｔ／８６７０．ｈｔｍｌ＞
【発明の開示】
【発明が解決しようとする課題】
【０００７】
しかし、携帯電話機は鞄やポケット等に常に所持しているものであるため、携帯電話機と共に入れた物によって、携帯電話機に貼付したシール等の装飾品が剥がれたり、装飾品の表面が擦れて見えなくなったりする等の問題があった。
【０００８】
一方、この問題の解決手段として前述の特許文献１〜３記載の保護カバーを採用することが可能である。しかし、携帯電話機の筐体全体を覆う保護カバーでは、キーボードや表示部が保護カバーで覆われるため、キーボードの操作性あるいは表示部の視覚性が低下するという問題がある。
【０００９】
また、前述の非特許文献１記載の透明カバーは写真やイラストを切り抜いて携帯電話機の背面に載置し、それを固定することを目的としたものであり、本発明の筐体に貼付した紙片を保護することとは目的が全く相違する。
【００１０】
そこで本発明の目的は、携帯無線機の筐体に貼付された紙片を保護することが可能な携帯無線機用保護板を提供することにある。
【課題を解決するための手段】
【００１１】
前記課題を解決するために、本発明による携帯無線機用保護板は携帯無線機の筐体に貼付された紙片を保護する携帯無線機用保護板であって、前記保護板は透明板で構成され、前記筐体の一面あるいはその一部に設けられることを特徴とする。
【００１２】
本発明によれば、前記筐体の一面あるいはその一部に貼付された紙片は透明板で覆われる。
【発明の効果】
【００１３】
本発明によれば、上記構成を含むことにより、携帯無線機の筐体に貼付した紙片を保護することが可能となる。また、筐体全体を覆うものとは異なり、筐体の紙片が貼付された面だけを覆うものであるため、キーボードの操作性あるいは表示部の視覚性の低下を防止することも可能となる。
【発明を実施するための最良の形態】
【００１４】
以下、本発明の実施例について添付図面を参照しながら説明する。
【実施例１】
【００１５】
図１は本発明に係る携帯無線機用保護板が設けられる携帯無線機の第１実施例の構成図である。同図を参照すると、携帯無線機１１は筐体１と、携帯無線機用保護板２と、突起部３と、切り欠き部４と、係止部５とを含んで構成される。そして、筐体１の一面６には装飾用の紙片７が貼付されている。
【００１６】
筐体１は一例として折り畳み式に構成されており、同図は上部筐体１Ａと下部筐体１Ｂとが軸部１Ｃを介して折り畳まれた状態を示している。また、図示しないキーボードあるいは表示部は一面６以外の面に設けることが可能である。また、筐体１を折り畳み式ではなく一体型に構成することも可能である。
【００１７】
筐体１の一面６はその中央部に窪み面６Ａが形成されており、その窪み面６Ａ上に装飾用の紙片７が貼付されている。また、この窪み面６Ａは携帯無線機用保護板２が嵌合する大きさに形成されている。さらに、一面６の縁部６Ｂの両端部には切り欠き部４が形成されている。
【００１８】
携帯無線機用保護板２は透明板で構成され（以下、携帯無線機用保護板２を透明板２と表示する）、その縁部２Ａには一面６の縁部６Ｂの両端部に設けられた切り欠き部４と対応する位置に突起部３が設けられている。
【００１９】
そして、一面６の縁部６Ｂの切り欠き部４に透明板２の突起部３を差し込み、透明板２を筐体１の窪み面６Ａに嵌合させる。また、一面６の縁部６Ｂに対向する縁部６Ｃにはスライド（ｓｌｉｄｅ）式の係止部５が設けられており、透明板２を窪み面６Ａに嵌合させた後、この係止部５を透明板２方向にスライドさせて透明板２を窪み面６Ａに固定する。
【００２０】
なお、図示しないが、一面６の縁部６Ｂの両端部に突起部３を形成し、この突起部３と対応する透明板２の縁部２Ａの位置に欠き部４を設けることも可能である。
【００２１】
以上説明したように、本発明の第１実施例によれば、携帯無線機用保護板２は透明板で構成されているため、筐体１の一面６に貼付された装飾用の紙片７の柄を目視することができ、しかもその紙片７が透明板２で覆われるため、紙片７の剥がれや、紙片７の表面の擦れを防止することができ、さらに、紙片７の貼付面以外の面にキーボードあるいは表示部を設けることができるため、キーボードの操作性あるいは表示部の視覚性の低下を防止することが可能となる。
【００２２】
すなわち、第１実施例によれば、使用者が携帯電話機を鞄やポケットに入れて持ち歩いたとしても、持ち歩いているうちに紙片７が剥がれあるいはその表面が擦れるのを防止することが可能となる。
【実施例２】
【００２３】
図２は本発明に係る携帯無線機用保護板が設けられる携帯無線機の第２実施例の構成図である。なお、同図において図１と同様の構成部分については同一番号を付し、その説明を省略する。
【００２４】
同図を参照すると、第２実施例の携帯無線機２１が第１実施例の携帯無線機１１と相違する点は、透明板２と筐体１の一面６の周辺を両面接着テープ８で接着した点である。したがって、本実施例では縁部６Ｂの切り欠き部４および縁部２Ａの突起部３は不要となる。
【００２５】
以上説明したように、本発明の第２実施例によれば、両面接着テープ８を用いて透明板２と筐体１の一面６とを接着する構成であるため、切り欠き部４および突起部３が不要となり、部品数および工数の削減が可能となる。
【実施例３】
【００２６】
図３は本発明に係る携帯無線機用保護板が設けられる携帯無線機の第３実施例の構成図である。なお、同図において図１と同様の構成部分については同一番号を付し、その説明を省略する。同図を参照すると、第３実施例の携帯無線機３１が第１実施例の携帯無線機１１と相違する点は、第１実施例における筐体１の一面６の窪み面６Ａが第３実施例では円形（窪み面６Ｄ）に形成され、これに対応して第１実施例における透明板２も円形（透明板８）に形成される点である。
【００２７】
すなわち、透明板８で筐体１の一面６の一部（窪み面６Ｄ）を覆う構成としたため、一面６と同一面上に表示部やボタンあるいはキーボード等を設ける場合でも、その透明板８で覆われる部分を避けて設けることが可能となる。
【実施例４】
【００２８】
図４は本発明に係る携帯無線機用保護板が設けられる携帯無線機の第４実施例の構成図である。なお、同図において図３と同様の構成部分については同一番号を付し、その説明を省略する。
【００２９】
同図を参照すると、第４実施例の携帯無線機４１が第３実施例の携帯無線機３１と相違する点は、透明板８と筐体１の一面６の窪み面６Ｄの周辺を両面接着テープ９を用いて接着した点である。したがって、本実施例では縁部６Ｂの切り欠き部４および縁部２Ａの突起部３は不要となる。
【００３０】
以上説明したように、本発明の第４実施例によれば、両面接着テープ９を用いて透明板８と筐体１の一面６の一部（窪み面６Ｄ）を接着する構成であるため、切り欠き部４および突起部３が不要となり、部品数および工数の削減が可能となる。
【００３１】
また、透明板８で筐体１の一面６の一部（窪み面６Ｄ）を覆う構成としたため、一面６と同一面上に表示部やボタンあるいはキーボード等を設ける場合でも、その透明板８で覆われる部分を避けて設けることが可能となる。
【実施例５】
【００３２】
図５は本発明に係る携帯無線機用保護板が設けられる携帯無線機の第５実施例の構成図である。なお、同図において図１と同様の構成部分については同一番号を付し、その説明を省略する。
【００３３】
同図を参照すると、第５実施例の携帯無線機５１が第１実施例の携帯無線機１１と相違する点は、筐体１の一面が曲面（一面６Ｅ）に形成され、透明板はその筐体１の一面６Ｅの曲面に対応する形状（透明板１５）に形成される点である。
【００３４】
なお、一面６Ｅの曲面の形態は図５に示す２次曲線的なものに限定するものではなく、３次以上の任意の曲線への適用が可能である。
【００３５】
以上説明したように、本発明の第５実施例によれば、筐体１の一面が任意の曲面（一面６Ｅ）をなす場合も本発明の適用が可能となる。
【実施例６】
【００３６】
図６は本発明に係る携帯無線機用保護板が設けられる携帯無線機の第６実施例の構成図である。なお、同図において図５と同様の構成部分については同一番号を付し、その説明を省略する。
【００３７】
同図を参照すると、第６実施例の携帯無線機６１が第５実施例の携帯無線機５１と相違する点は、透明板１５と筐体１の一面６Ｅの周辺を両面接着テープ８で接着した点である。したがって、本実施例では縁部６Ｂの切り欠き部４および縁部２Ａの突起部３は不要となる。
【００３８】
以上説明したように、本発明の第６実施例によれば、両面接着テープ８を用いて透明板１５と筐体１の一面６Ｅとを接着する構成であるため、切り欠き部４および突起部３が不要となり、部品数および工数の削減が可能となる。
【図面の簡単な説明】
【００３９】
【図１】本発明に係る携帯無線機用保護板が設けられる携帯無線機の第１実施例の構成図である。
【図２】本発明に係る携帯無線機用保護板が設けられる携帯無線機の第２実施例の構成図である。
【図３】本発明に係る携帯無線機用保護板が設けられる携帯無線機の第３実施例の構成図である。
【図４】本発明に係る携帯無線機用保護板が設けられる携帯無線機の第４実施例の構成図である。
【図５】本発明に係る携帯無線機用保護板が設けられる携帯無線機の第５実施例の構成図である。
【図６】本発明に係る携帯無線機用保護板が設けられる携帯無線機の第６実施例の構成図である。
【図７】従来の携帯電話機の一例の外観図である。
【図８】従来の携帯電話機の一例の外観図である。
【符号の説明】
【００４０】
１  筐体
２，８，１５  携帯無線機用保護板（透明板）
３  突起部
４  切り欠き部
５  係止部
６  一面
６Ａ，６Ｄ  窪み面
６Ｅ  一面
７  紙片
８，９  両面接着テープ
１１，２１，３１  携帯無線機
４１，５１，６１  携帯無線機
【図１】
2006067035.tif 000003
【図２】
2006067035.tif 000004
【図３】
2006067035.tif 000005
【図４】
2006067035.tif 000006
【図５】
2006067035.tif 000007
【図６】
2006067035.tif 000008
【図７】
2006067035.tif 000009
【図８】
2006067035.tif 000010